(57)【特許請求の範囲】
【請求項１】
浴室の天井に設置される機体内に、該機体の下面を覆うパネルに設けた下向きの吹出し口を下流端とする通風路が画成され、該通風路に加熱手段とファンとを配置し、前記吹出し口に設けたルーバーが風向を可変とすべく回動すると共に運転停止時に前記吹出し口を閉塞する浴室暖房機であって、湯水をミスト状に噴出するミストノズルを備えるものにおいて、
前記ミストノズルは、前記吹出し口の内周縁によって囲われた内側で前記パネルの下面より上方であって前記ルーバーが吹出し口を開放したときに前記ルーバーから離間する位置に配設されていると共に、外周が外装部材により包囲されており、
前記外装部材は、前記吹出し口を通過する気流の一部を前記ミストノズルと前記吹出し口の内周縁との間に向かって導出する導出口を備え、
前記導出口は、前記ミストノズルに対して前記吹出し口を開放した状態の前記ルーバーの位置と反対側にある吹出し口の内周縁と、前記ミストノズルとの間に形成されることを特徴とするミスト機能付き浴室暖房機。
【請求項２】
請求項１記載のミスト機能付き浴室暖房機において、
前記ミストノズルは、前記ルーバーによる風向きの可変範囲内に配設されていることを特徴とするミスト機能付き浴室暖房機。
【請求項３】
請求項１又は２記載のミスト機能付き浴室暖房機において、
前記ミストノズルは、前記吹出し口を閉塞した前記ルーバーが覆うことにより非露出状態となる位置に設けられていることを特徴とするミスト機能付き浴室暖房機。
【発明の詳細な説明】
【技術分野】
【０００１】
本発明は、浴室内にミスト状の湯を噴出することが可能なミスト機能付き浴室暖房機に関する。
【背景技術】
【０００２】
一般に、浴室暖房機は、浴室の洗い場に隣接する浴槽の上方の天井に埋め込むようにして設置される機体内に、該機体の下面を覆うパネルに設けた下向きの吹出し口を下流端とする通風路が画成され、該通風路に配置された加熱手段とファンとにより浴室に温風を供給して浴室の暖房を行うように構成されている。
【０００３】
従来、このような浴室暖房機において、湯をミストとして噴出するミストノズルを備え、ミストノズルによりミストを浴室にに噴出させて、ミストサウナ効果を得られるようにしたものが知られている（例えば、特許文献１参照）。このミストノズルは、吹出し口と異なる位置のパネルに突出して設けられている。
【先行技術文献】
【特許文献】
【０００４】
【特許文献１】特開２００６−６８１３０号公報
【発明の概要】
【発明が解決しようとする課題】
【０００５】
上記従来のミストノズルは、天井の面に沿って平坦なパネルから下方に突出して設けられていることにより、ミストノズルが目立ってしまい外観上好ましくない。
【０００６】
そこで、ミストノズルを吹出し口の内周縁によって囲われた内側に配置させることで目立たなくして外観品質を向上させることが考えられる。
【０００７】
一方、洗い場の広さが比較的広い場合には、ミストが洗い場全体に行きわたるようにするために、洗い場に向けてミストが噴出する角度にミストノズルを傾ける必要がある。
【０００８】
しかし、吹出し口の内周縁に配置したミストノズルを洗い場の方向に傾けると、ミストノズルから広がりを持って噴出するミストの一部が吹出し口の内周縁に付着し易くなってしまい、場合によっては、吹出し口の内周縁に付着したミストが水滴となって落下し、入浴中の使用者に対して不快感を付与するおそれがある。
【０００９】
上記の点に鑑み、本発明は、ミストノズルを設けたことによる外観品質の低下を防止し、吹出し口の内周縁に干渉させることなく十分な量のミストを噴出させて、比較的広い洗い場であっても、ミストを確実に行きわたらせることができるミスト機能付き浴室暖房機を提供することを目的とする。
【課題を解決するための手段】
【００１０】
かかる目的を達成するために、本発明は、浴室の天井に設置される機体内に、該機体の下面を覆うパネルに設けた下向きの吹出し口を下流端とする通風路が画成され、該通風路に加熱手段とファンとを配置し、前記吹出し口に設けたルーバーが風向を可変とすべく回動すると共に運転停止時に前記吹出し口を閉塞する浴室暖房機であって、湯水をミスト状に噴出するミストノズルを備えるものにおいて、前記ミストノズルは、前記吹出し口の内周縁によって囲われた内側で前記パネルの下面より上方であって前記ルーバーが吹出し口を開放したときに前記ルーバーから離間する位置に配設されていると共に、外周が外装部材により包囲されており、前記外装部材は、前記吹出し口を通過する気流の一部を前記ミストノズルと前記吹出し口の内周縁との間に向かって導出する導出口を備え、前記導出口は、前記ミストノズルに対して前記吹出し口を開放した状態の前記ルーバーの位置と反対側にある吹出し口の内周縁と、前記ミストノズルとの間に形成されることを特徴とする。
【００１１】
本発明によれば、ミストノズルが吹出し口の内側に配設されているだけでなく、前記外装部材によりミストノズルが包囲されていてミストノズルの露出が極めて少ないので、ミストノズルによる外観品質の低下を防止することができる。
【００１２】
更に、ミストノズルを吹出し口の内周縁によって囲われた内側に配設することで、吹出し口を通過する気流にミストが載りやすくなり、浴室に効率よくミストを供給することができる。
【００１３】
しかも、前記外装部材は、前記導出口により、ミストノズルと吹出し口の前記内周縁との間に気流を形成することができる。これにより、ミストノズルから吹出し口の内周縁へ向かうミストが、導出口から導出される気流に遮られて、吹出し口の内周縁への付着を防止することができる。
【００１４】
このように、吹出し口の内周縁へのミストの付着が防止されることにより、ミストを広範囲に行き渡らせることが可能になるので、例えば、浴室暖房機を、浴室の洗い場に隣接する浴槽の上方に設置した場合に、洗い場に向かって確実にミストを拡散させることができる。このとき更に、洗い場が比較的広いために、ミストノズルを洗い場側に傾く姿勢に取り付けても、吹出し口の内周縁へのミストの付着を防止することができる。
【００１５】
また、本発明において、前記ミストノズルは、前記ルーバーによる風向きの可変範囲内に配設されていることを特徴とする。
【００１６】
これによれば、ミストノズルが噴出したミストを、ルーバーによって洗い場に向けられた気流に確実に載せることができる。よって、ミストを広範囲に行き渡らせることが可能となり、浴室の洗い場が比較的広い場合であっても、洗い場でのミスト浴を快適に行うことができる。
【００１７】
また、本発明において、前記ミストノズルは、前記吹出し口を閉塞した前記ルーバーが覆うことにより非露出状態となる位置に設けられていることが好ましい。これによれば、運転停止時にはルーバーによりミストノズルが確実に隠され、ミストノズルによる外観品質の低下を確実に防止することができる。
【図面の簡単な説明】
【００１８】
【図１】浴室を模式的に示す図。
【図２】ミスト機能付き浴室暖房機の構成を示す説明的断面図。
【図３】ミスト機能付き浴室暖房機のパネルを示す図。
【図４】ミストノズルを示す説明的断面図。
【図５】図４のＡ矢示図。
【発明を実施するための形態】
【００１９】
本発明の一実施形態を図面に基づいて説明する。図１に示すように、本実施形態のミスト機能付き浴室暖房機１（以下単に浴室暖房機１という）は、浴室Ｙの天井Ｙａに配置されている。浴室Ｙは洗い場Ｙｂと浴槽Ｙｃとを備えている。
【００２０】
浴室暖房機１は、図１及び図２に示すように、浴室Ｙの天井Ｙａに埋め込むようにして取り付けられた機体２と、天井Ｙａに開設した開口を通して浴室Ｙに臨む機体２の下面を天井Ｙａの下側から覆うパネル３とを備えている。
【００２１】
パネル３には、図３に示すように、吸込み口４と吹出し口５とが共に下向きに形成されている。吹出し口５は横長矩形状に形成されており、吹出し口５には吹出し口５に対応する形状のルーバー６が設けられている。
【００２２】
ルーバー６は、吹出し口５の形状に対応する長手方向の両側に回動軸６ａを備えており、回動軸６ａは図示しないモータ等の駆動装置によって回動される。ルーバー６の回動により、吹出し口５の送風方向を洗い場Ｙｂの方向に向けることができる。また、ルーバー６は、暖房運転が停止状態のときには吹出し口５を閉じた状態とすることができる。なお、図３はルーバー６が吹出し口５を閉じた状態を示している。
【００２３】
図２に示すように、機体２内には、通風路７が画成されている。通風路７は、吸込み口４を上流端とし吹出し口５を下流端として吸込み口４と吹出し口５とを結んでいる。
【００２４】
通風路７には、ファン８及び加熱手段９が設けられている。ファン８は、浴室Ｙ内の空気を吸込み口４から吸込んで通風路７に沿って気流を形成する。加熱手段９は、図外の熱源機から供給される温水を流す放熱器で構成されている。ファン８と加熱手段９とを共に作動させる暖房運転を行うと、加熱手段９で加熱された空気がファン８により浴室Ｙに循環され、浴室Ｙの暖房が行われる。
【００２５】
吹出し口５の内部には、図２及び図４に示すように、ミストノズル１０と、ミストノズル１０を包囲する外装部材１１とが設けられている。ミストノズル１０は、吹出し口５がルーバー６により閉塞されたとき、ルーバー６に覆い隠された状態（非露出状態）となる。これにより、運転停止時にはミストノズル１０による外観品質の低下を確実に防止することができる。
【００２６】
ミストノズル１０には、給湯管１２を介して熱源機からの湯水が供給される。ミストノズル１０は、給湯管１２からの湯水をミスト状にして噴出する。
【００２７】
ところで、一般に、浴室Ｙの洗い場Ｙｂの真上の天井Ｙａには、機器点検用の点検口（図示せず）が設けられている。浴室暖房機１は、この点検口を塞ぐことのないように、浴槽Ｙｃの真上の天井に設置される。
【００２８】
この場合、仮に、吹出し口５が浴室Ｙの壁寄りに位置し、吸込み口４が洗い場Ｙｂ寄りに位置していると、吹出し口５と洗い場Ｙｂとの間に吸込み口４が位置してしまい、洗い場Ｙｂに効率良く温風が送出されなくなる。そこで、浴室暖房機１は、吹出し口５が洗い場Ｙｂ寄りに位置すると共に、ルーバー６の回動軸６ａが吹出し口５における洗い場Ｙｂと反対側の内周縁に沿って位置するように設置される。
【００２９】
そして、ミストノズル１０は、吹出し口５の内周縁が囲う内側であって、ルーバー６の回動軸６ａよりも洗い場Ｙｂ寄りに位置し、これによって、ルーバー６による風向きの可変範囲内に配設されている。
【００３０】
更に、ミストノズル１０は、鉛直方向に対して洗い場Ｙｂの方向に所定角度（本実施形態においては、約３０°）の傾きをもって吹出し口５の内側に配設されている。このミストノズル１０の傾き角度は、ミストが拡散した状態で十分に洗い場Ｙｂに到達して洗い場Ｙｂの隅々にミストが行きわたるような角度に設定される。なお、ミストは比較的大きな広がり角度をもって噴出されるので、ミストが十分に洗い場Ｙｂの隅々に行きわたる場合（例えば、洗い場Ｙｂが比較的狭い場合等）にはミストノズル１０を傾けることなく鉛直下方を向く姿勢に設けてもよい。
【００３１】
また、ミストノズル１０は、ルーバー６の回動軸６ａよりも洗い場Ｙｂ寄りに設けられているので、ルーバー６が案内する温風をエアカーテンとして機能させることができる。よって、浴槽Ｙｃに向かうミストを少なくすることができるだけでなく、ルーバー６が案内する温風にミストを載せて、十分な量のミストを洗い場Ｙｂに向かって供給することができる。
【００３２】
更に、図４及び図５に示すように、外装部材１１がミストノズル１０を包囲していることにより、吹出し口５の内周縁へのミストの付着も防止される。
【００３３】
外装部材１１は、ミストノズル１０を包囲するノズル包囲部１３と、吹出し口５の内周縁に連結して取り付け状態となる連結部１４とを備えている。ノズル包囲部１３とミストノズル１０の外周面との間には隙間が形成されている。この隙間には、吹出し口５からの気流の一部が通過する。
【００３４】
そして、外装部材１１の連結部１４とミストノズル１０の外周面との間の隙間１５は、吹出し口５を通る気流の一部を、吹出し口５の内周縁（具体的にはミストノズル１０が向いている側の縁）とミストノズル１０との間に向かって導出する。この隙間１５は、本発明の導出口として機能するものであり、ノズル包囲部１３とミストノズル１０との間の他の隙間より大きく開いている。
【００３５】
ミストノズル１０から噴出されるミストは比較的大きな広がり角度（例えば７０°〜８０°）を有しているため、ミストの一部が吹出し口５の内周縁に向かう。本実施形態のようにミストノズル１０が吹出し口５の内周縁の近傍で洗い場Ｙｂの方向に向いて傾斜している場合には一層多くのミストが吹出し口５の内周縁に向かう。このとき、外装部材１１の隙間１５（導出口）から導出される温風の一部の気流によって、ミストノズル１０から吹出し口５の内周縁に向かうミストが遮られる。これにより、吹出し口５の内周縁へのミストの付着が殆どなくなり、吹出し口５の内周縁に付着したミストが水滴となって落下することが防止できる。
【００３６】
また、ミストノズル１０は、吹出し口５の内部に位置しているだけでなく、外装部材１１によって包囲されていることにより、外観上殆ど目立たないのでミストノズル１０が外観品質を低下させることもない。
【００３７】
以上、本発明の実施形態について図面を参照して説明したが、本発明はこれに限定されない。例えば、加熱手段９として、上記実施形態の放熱器に代えて電気ヒータを用いても良い。
【符号の説明】
【００３８】
Ｙ…浴室、Ｙａ…天井、１…ミスト機能付き浴室暖房機、２…機体、３…パネル、５…吹出し口、６…ルーバー、６ａ…回動軸、７…通風路、８…ファン、９…加熱手段、１０…ミストノズル、１１…外装部材、１５…隙間（導出口）。
【図１】
0006487247.tif 000002
【図２】
0006487247.tif 000003
【図３】
0006487247.tif 000004
【図４】
0006487247.tif 000005
【図５】
0006487247.tif 000006